(57)【特許請求の範囲】
【請求項１】
光記録媒体を再生する方法において、
（ａ）高速サーチ機能の実行中に目的とする画面が出てくれば、再生キーを入力する段階と、
（ｂ）前記再生キーの入力が確認されれば、設定された倍速で逆方向サーチを実行する段階と、
（ｃ）前記逆方向サーチの実行中に目的とする画面が出てくれば、前記再生キーを再入力して順方向の再生を実行する段階とを含む再生方法。
【請求項２】
前記（ａ）段階後に、
前記逆方向サーチを終えるためのタイマーを動作させることを特徴とする請求項１に記載の再生方法。
【請求項３】
前記（ｃ）段階において、
前記再生キーの再入力がなされない場合、前記タイマーに設定された時間が過ぎれば、前記逆方向サーチが終わった時点から順方向の再生を実行することを特徴とする請求項１に記載の再生方法。
【請求項４】
前記タイマーの設定時間は、
前記光記録媒体の再生時間を基準として設定されることを特徴とする請求項３に記載の再生方法。
【発明の詳細な説明】
【０００１】
【発明の属する技術分野】
本発明は、光記録媒体システムの動作方法に係り、より詳細には、再生される画面からの逆方向サーチ機能の実行中に目的とする画面が手軽にサーチできる光記録媒体の再生方法に関する。
【０００２】
【従来の技術】
例えば、特許文献１に記載のデジタルビデオディスク（ＤＶＤ：Digital Video Disc）再生機は、超高速のサーチ機能を与えるとはいえ、下記の如き理由により使い勝手が悪く有用でないのが問題として指摘されている。既存の高速サーチ機能（１２８倍速のサーチ）は、サーチ中に〈再生〉ボタンを押す場合、既に見たい部分が過ぎてしまった後の画面を与える。
【０００３】
例えば、１２８倍速のサーチ中に０：１０：００の辺りで見たい内容があって〈再生〉ボタンを押す場合、既に０：１０：００の辺りの場面は過ぎてしまったために、〈再生〉ボタンを押した後にさらに〈逆方向サーチ〉ボタンを押して逆方向サーチ機能を実行させて逆送りしてから見たい場面をサーチしなければならず、使い勝手が悪かった。
【０００４】
【特許文献１】
韓国公開特許１９９９−５０１９８号
【０００５】
【発明が解決しようとする課題】
本発明が解決しようとする技術的課題は、再生される画面からの逆方向サーチ機能の実行時に目的とする画面が手軽にサーチできる光記録媒体の再生方法を提供するところにある。
【０００６】
【課題を解決するための手段】
本発明が解決しようとする技術的課題を解決するために、光記録媒体の再生方法は、光記録媒体を再生する方法において、（ａ）高速サーチ機能の実行中に目的とする画面が出てくれば、再生キーを入力する段階と、（ｂ）前記再生キーの入力が確認されれば、設定された倍速で逆方向サーチを実行する段階と、（ｃ）前記逆方向サーチの実行中に目的とする画面が出てくれば、前記再生キーを再入力して順方向の再生を実行する段階とを含むことが望ましい。
【０００７】
本発明において、前記（ａ）段階後に、前記逆方向サーチを終えるためのタイマーを動作させ、前記（ｃ）段階において、前記再生キーの再入力がなされない場合、前記タイマーに設定された時間が過ぎれば、前記逆方向サーチが終わった時点から順方向の再生を実行することを特徴とする。
【０００８】
【発明の実施の形態】
以下、添付した図面に基づき、本発明を詳細に説明する。
【０００９】
図１は、光記録媒体の再生装置の構成を示すブロック図であって、光ディスク１００、信号処理部１０１、メモリ１０２、タイマー１０３、ディスプレイ部１０４及び制御部１０５を含んでなる。
【００１０】
図２は、本発明に係る光記録媒体の再生方法の動作を示すフローチャートであって、目的とする部分をサーチするために高速サーチ機能を実行する段階（２００）、目的とする部分で〈再生〉キーが入力されたか否かを判断する段階（２０１）、現在高速サーチ倍速（１２８倍速）で再生中であるか否かを判断する段階（２０２）、蛍光光チューブ（ＦＬＴ：Fluorescence Light Tube）タイマーを作動させる段階（２０３）、４倍速で逆方向サーチを実行する段階（２０４）、目的とする部分で〈再生〉キーが入力されたか否かを判断する段階（２０５）、順方向の再生を実行する段階（２０７）、及びＦＬＴタイマーが２分を過ぎたか否かを判断する段階（２０６）を含んでなる。
【００１１】
以下、図１及び図２に基づき、本発明を詳細に説明する。
【００１２】
本発明は、ユーザーの使い勝手を最大限に向上させるために、１２８倍速などの高速サーチ中に〈再生〉キーを押せば逆方向サーチ機能を活性化させ、〈再生〉キーをもう一回押す場合に順方向の再生を始める。
【００１３】
信号処理部１０１は、光ディスク１００から読み出された信号を再生可能な信号として処理する。メモリ１０２には、光ディスク１００の駆動プログラム及び２回の〈再生〉キーの入力により目的とする部分をサーチさせるプログラム情報が格納されている。タイマー１０３は、最初の〈再生〉キーの入力と同時に時間をカウントし、設定された時間内に第２回目の〈再生〉キーが入力されなければ、これを制御部１０５に知らせる。全てのブロックを制御する制御部１０５は、タイマー１０３からの入力信号に基づき逆方向サーチを終え、逆方向サーチの終了時点から順方向の再生を実行せよとの命令信号を各ブロックに出力する。ディスプレイ部１０４は、ＦＬＴを含んで光ディスク１００再生信号を表示する。
【００１４】
光ディスク１００コンテンツを視聴しているユーザーが目的とする部分をサーチするために高速サーチ機能を実行する（第２００段階）。高速サーチ機能が実行されれば、光ディスク１００は、１２８倍速で動作する。ユーザーは、光記録媒体の再生装置の外部に備えられたキー（図示せず）またはリモコン（図示せず）に備えられた高速サーチ機能キーを入力してこの段階を実行する。
【００１５】
高速サーチ機能が始まれば、ユーザーは、ディスプレイ部１０４に表示される画面を見て、目的とする部分で〈再生〉キーを入力し、制御部１０５はこれを判断する（第２０１段階）。
【００１６】
制御部１０５は、〈再生〉キーが入力された時点で光ディスク１００が高速サーチ倍速（例えば、１２８倍速）で再生中であるか否かを判断する（第２０２段階）。
【００１７】
光ディスク１００が高速サーチ倍速で再生中であれば、制御部１０５は、タイマー１０３を動作させる（第２０３段階）。ここで、タイマー１０３はＦＬＴタイマーであって、光ディスク１００の再生時間をカウントする。タイマー１０３のカウント時間はユーザーにより、例えば２分、３分等に設定でき、本発明では２分に設定している。タイマー１０３は、ユーザーにより設定された時間中にダウンカウントを行う。
【００１８】
タイマー１０３が動作されれば、制御部１０５は、光ディスク１００を逆方向にサーチする制御信号を各ブロックに出力し、これに対応して光ディスク１００は、逆方向サーチを始める（第２０４段階）。逆方向サーチ時の倍速は、ユーザーにより例えば、４倍速、８倍速などに設定でき、本発明では、４倍速に設定している。光ディスク１００は、ユーザーにより設定された倍速で逆方向サーチを実行する。
【００１９】
設定された倍速で逆方向サーチを実行中に目的とする部分が出てくれば、ユーザーは〈再生〉キーを再入力し、制御部１０５はこれを判断する（第２０５段階）。
【００２０】
〈再生〉キーが再入力されたと判断されれば、制御部１０５は、逆方向サーチの実行を終え、逆方向サーチが終わった時点から光ディスク１００を順方向に再生する（第２０６段階）。
【００２１】
ユーザーにより〈再生〉キーが再入力されなかった場合、制御部１０５は、タイマー１０３のカウント時間をチェックし、設定された２分が過ぎたか否かを判断する（第２０７段階）。タイマー１０３のカウント時間が設定された２分を過ぎていない場合には逆方向サーチを続け、タイマー１０３のカウント時間が設定された２分を過ぎた場合には逆方向サーチを終え、逆方向サーチの終わった時点から光ディスク１００を順方向に再生する。
【００２２】
本発明と従来の技術との違いを調べるために、下記のように仮定する。ほとんどのユーザーは、１２８倍速の高速サーチ中に目的とする場面が出てくる場合に〈再生〉キーを入力し、より正確な場面をサーチしていくためにさらに４倍速の逆方向サーチ機能を実行させて目的とする場面をサーチしていった後に〈再生〉キーを再び入力する。このような仮定下で、１２８倍速のサーチ中に目的とする場面をサーチしていくために入力すべきキーの数を比較すれば、従来の技術では〈高速サーチ〉→〈再生〉→〈２倍速の逆方向サーチ〉→〈４倍速の逆方向サーチ〉→〈再生〉キーの順番で計５回のキーを入力すべきであったのが、本発明では、〈高速サーチ〉→〈再生〉→〈再生〉キーの順番で計３回のキーを入力すれば良い。
【００２３】
本発明は前述した実施の形態に限定されず、本発明の思想内であれば、当業者による変形が可能なのは言うまでもない。
【００２４】
【発明の効果】
以上述べたように、本発明によれば、再生される画面から逆方向サーチ機能の実行時に簡便なキー操作により目的とする画面が手軽にサーチできるので、ユーザーの使い勝手が最大限に向上する。
【図面の簡単な説明】
【図１】  光記録媒体の再生装置の構成を示すブロック図である。
【図２】  本発明に係る光記録媒体の再生方法の動作を示すフローチャートである。
【符号の説明】
１００  光ディスク
１０１  信号処理部
１０２  メモリ
１０３  タイマー
１０４  ディスプレイ部
１０５  制御部
【図１】
0003738248.tif 000002
【図２】
0003738248.tif 000003